(57)【要約】      （修正有）【課題】温度降下が大きく、消費電力が少い、コストの安い冷風器を提供する。【解決手段】小玉を多数付着させて表面積を大きくした毛玉帯１０は、全合成繊維製だから速乾性があり、送風機３３の送風とは接触面積が大きく、また吊り柱２３，２４から吊り下げられた多数の毛玉帯１０は、隣の毛玉帯１０との間に隙間２９を形成し、送風機３３の風をこの隙間２９に送り込むと、湿った毛玉帯１０の水分の気化が大きく、この風の温度も平均して２〜３℃低下する。また、消費電力が小さく、コストも安い。【選択図】図２
2015045492.tif 000002
【特許請求の範囲】
【請求項１】
左側板２１から平行な右側板２２へ、上方に平行な吊り柱２３、２４を、下方に平行な固定柱２５、２６を、それぞれ渡して固定した枠体２０の吊り柱２３、２４に、合成繊維の小玉を多数付着させた合成繊維の帯１１の上端に吊り棒１２を、下端に固定棒１３をそれぞれ取付けた
毛玉帯１０の多数の吊り棒１２を、間隔をあけて左から並べて固定し、下へ吊り下げた多数の毛玉帯１０の下端の固定棒１３を、枠体２０の固定柱２５、２６に固定し、多数の毛玉帯１０の間に縦長の隙間２９を多数形成した冷風器。
【発明の詳細な説明】
【技術分野】
【０００１】  本発明は、夏の暑さ対策のための冷風器に関する。
【背景技術】
【０００２】  夏の暑さ対策として、これまで扇風機やエヤコンが使われてきた。
【発明の開示】
【発明が解決しようとする課題】
【０００３】  以上で述べた扇風機は気温が下らず、エヤコンは気温が下るが、消費電力は大きくコストも高い。
【課題を解決するための手段】
【０００４】  本発明は、本課題を解決するために、まず本発明の主要部をなす部品は、合成繊維の小玉を多数付着させた合成繊維の帯の上端に吊り棒を、下端に固定棒と布とをそれぞれ取付けた毛玉帯で、【０００５】  平行な左右側板間に、上方に平行な２本の吊り柱を、下方に平行な２本の固定柱をそれぞれ渡し、これらを固定して枠体を構成し、【０００６】  この枠体の２本の吊り柱に、多数の毛玉帯の吊り棒を間隔をあけて左から並べて固定し、下へ吊り下げた多数の毛玉帯の固定棒を、枠体の２本の固定柱に固定し、【０００７】  このようにして吊り下げられた多数の毛玉帯間に、多数の隙間を形成したものである【０００８】  なおこれら隙間を形成する毛玉帯には、上下から水分が供給される。【０００９】  またこれら隙間に送風する送風機と、隙間を通った送風を外方に放る送風機を設ける。【００１０】  以上から、上記毛玉帯は全合成繊維製だから速乾性があり、多数の小玉の付着により送風機の送風との接触面積が大きいので、この毛玉帯により形成される隙間に風を通すと、気化が大きく、温度降下も大きく、平均して２〜３℃下がる。
【発明の効果】
【００１１】  この効果は、以上のほか、消費電力が少なく、コストも安い。
【発明を実施するための最良の形態】
【００１２】  以下本発明の実施の形態を図により説明する。【００１３】  図１は、ポリエステル、ナイロンなどの合成繊維の小玉を、合成繊維の帯１１に多数付着させ、上端に吊り棒１２を、下端に固定棒１３と布１４をそれぞれ取付け、布１４を下へ垂らした毛玉帯１０を示す。【００１４】  図２は、本発明の点滴器４１を除いた主要部を示す上視図で、左側板２１から平行な右側板２２へ、上方に平行な吊り柱２３，２４を、下方に平行な固定柱２５，２６を、それぞれ渡して固定し、枠体２０を構成したものである。【００１５】  そしてこの枠体２０の吊り柱２３，２４に、多数の毛玉帯１０の吊り棒１２を間隔をあけて左から並べて固定し、下へ吊り下げた多数の毛玉帯１０の固定棒１３を、固定柱２５、２６に固定し、多数の毛玉帯１０の間に縦長の隙間２９を形成する。【００１６】  またこの多数の隙間２９に、送風入口３１から送風する送風機３３を、さらにこの隙間２９を通る送風を送風出口３２から外方に放出する送風機３４を設ける。【００１７】  さて図２の構造について説明すると、まず毛球帯１０は、水分が上方の点滴器４１から多数の吊り棒１２の上面４２のタオル、スポンジなどのような吸水体４３に供給され、また下方から水槽４４内に浸された布１４により補給されるので、これらの毛玉帯１０に囲まれた隙間２９は十分湿っている。【００１８】  次に送風機３３は、送風が広がらないサーキユラーが好ましいのでこれを採用し、このサーキュラー３３から隙間２９内に送風すると、既に述べたように気化が大きく、温度降下が大きい。【００１９】  そしてこの送風は送風機３４により外方に放出される。
【図面の簡単な説明】
【００２０】
【図３】主要部の横断／前面を示す図２のＡ−Ａ視図。
【図４】主要部の縦断面を示す図２のＢ−Ｂ視図。
【符号の説明】
【００２１】１０  毛玉帯
２０  枠体
２９  隙間
【図１】
2015045492.tif 000003
【図２】
2015045492.tif 000004
【図３】
2015045492.tif 000005
【図４】
2015045492.tif 000006
【手続補正書】
【提出日】平成25年11月20日(2013.11.20)
【手続補正１】
【補正対象書類名】特許請求の範囲
【補正対象項目名】全文
【補正方法】変更
【補正の内容】
【特許請求の範囲】
【請求項１】
左側板２１から平行な右側板２２へ、上方に平行な吊り柱２３、２４を、下方に平行な固定柱２５、２６を、それぞれ渡して固定した枠体２０の吊り柱２３、２４に、表面を凹凸にした合成繊維の帯１１の上端に吊り棒１２を、下端に固定棒１３を、それぞれ取付けた凹凸帯１０の多数の吊り棒１２を、間隔をあけて左から並べて固定し、下へ吊り下げた多数の凹凸帯１０の固定棒１３を、枠体２０の固定柱２５、２６に固定して、多数の凹凸帯１０の間に縦長の隙間２９を多数形成し、これら多数の隙間２９に通じる送風機３３を設けた冷風器
【手続補正２】
【補正対象書類名】明細書
【補正対象項目名】全文
【補正方法】変更
【補正の内容】
【発明の詳細な説明】
【技術分野】
【０００１】  本発明は、ものを冷やす冷風器に関する。
【背景技術】
【０００２】ものを冷やすには、これまでエヤコンや冷蔵庫が使われてきたが、氷などを利用せずに、手軽にものを冷やす、簡単な構造の装置は見当らない。
【発明の開示】
【発明が解決しようとする課題】
【０００３】手軽にものを冷やす、簡単な構造の装置
【課題を解決するための手段】
【０００４】  本発明は、本課題を解決するために、水分気化による温度低下を利用するもので、
まず、本発明の主要部をなす部品は、表面を凹凸にした合成繊維の帯の上端に吊り棒を、下端に固定棒と布とをそれぞれ取付けた凹凸帯である。【０００５】  また平行な左、右側板間に、上方に平行な２本の吊り柱を、下方に平行な２本の固定柱をそれぞれ渡して固定した枠体を構成する。【０００６】  そしてこの枠体の２本の吊り柱に、多数の凹凸帯の吊り棒を間隔をあけて左から並べて固定し、下へ吊り下げた多数の凹凸帯の固定棒を、枠体の２本の固定柱に固定する。【０００７】  このようにして吊り下げられた多数の凹凸帯間に多数の縦長の隙間を形成する。【０００８】そしてこれら隙間には、これら隙間に通じる送風機を設ける。【０００９】  なお上記凹凸帯には、上、下から水分が供給される。【００１０】  以上から本発明は、合成繊維製の凹凸帯により形成された縦長の隙間に、これに通じる送風機を設けた、簡単な構造の装置である。【００１１】そして上記凹凸帯は、合成繊維製だから速乾性があり、また表面を凹凸にしたので、送風機の送風とは接触面積が大きい。【００１２】したがって上記隙間に、送風機から送風すると、隙間に含まれる水分が大きく気化し、送風の温度低下が大きく冷風となる。【００１３】本発明は、このような冷風を、対象のものに当てることにより冷やすものである。
【発明の効果】
【００１４】以上のように本発明によれば、簡単な構造の装置で、手軽にものを冷やすことができる。
【発明を実施するための最良の形態】
【００１５】  以下本発明の実施の対象を、夏の暑さ対策の冷風装置とし、この形態を図面に基づいて説明する。【００１６】  図１は、ポリエステル、ナイロンなどの合成繊維の小片を、同様の合成繊維の帯１１に多数付着させて表面を凹凸にし、上端に吊り棒１２を取付け、下端に固定棒１３と布１４とを取付け、布１４を下へ垂らした凹凸帯１０の全体図を示す。【００１７】なお上記帯１１は、市販品「吸着取替モツプ」（株・セリア・大垣市外渕、ほか）を使用した。【００１８】  図２は、本発明の点滴器４１を除いた主要部の上視図で、図３は図２のＡ−Ａ視図で、たヾし点滴器４１を含み、図４は図２のＢ−Ｂ視図である。【００１９】次にこれらの図により本発明の構成を説明すると、枠体２０は、左側板２１から平行な右側板２２へ、上方に平行な吊り柱２３、２４を、下方に平行な固定柱２５、２６を、それぞれ渡して固定したもので、また２７はふた、２８は底板である。【００２０】ついでこの枠体２０の吊り柱２３、２４に多数の凹凸帯１０の吊り棒１２を間隔をあけて左から並べて固定し、下へ吊り下げた多数の凹凸帯１０の固定棒１３を、固定柱２５、２６に固定し、多数の凹凸帯１０の間に縦長の隙間２９を形成する。【００２１】そしてこれら多数の隙間２９に送風入口３１から送風する送風機３３と、さらにこの隙間２９を通る送風を、送風手口３２から外方に放出する送風機３４を設ける。【００２２】なお送風機３３は、送風が広がらないのが好ましいので、サーキュレーターを採用した。【００２３】  さて本発明の作用を説明すると、凹凸帯１０には、水分が、上方は点滴器４１から多数の吊り棒１２の上面４２のタオル、スポンジなどの吸収体４３により、また下方は水槽４４内に浸された布１４により供給され、凹凸帯１０により形成された隙間２９は十分湿っている。【００２４】次に送風機３３から隙間２９に送風すると、既に述べた用に、水分気化、送風の温度低下が大きく起り、冷風が送風機３４から外方に放出される。【００２５】さて本発明の実施による図２〜４の装置で、温度低下を測定したところ、湿度５０％前後で平均して３〜４℃だった。【００２６】なお気化の特性から温度低下は、湿度と大きく関係し、湿度が低い程大きく高い程小さい。
【図面の簡単な説明】
【００２７】
【図１】  凹凸帯１０の全体図
【図２】  点滴器４１を除いた主要部の上視図
【図３】  図２のＡ−Ａ視図で、たヾし点滴器４１を含む
【図４】  図２のＢ−Ｂ視図
【符号の説明】
【００２８】１０  凹凸帯
２０  枠体
２９  隙間